(57)【特許請求の範囲】
【請求項１】
動画の画像ファイルと静止画の画像ファイルとが混在して記録されている記録媒体に対して、当該記録媒体に記録されている画像をプリントするためのプリント指定情報を記録するプリント指定方法であって、
動画ファイル及び静止画ファイルのいずれをプリント指定する場合においてもそのプリント対象となる画像が含まれるファイルを特定するためのファイル特定情報と、当該プリント対象となる画像が含まれる画像ファイルが動画ファイルであるか静止画ファイルであるかを識別するファイル種識別情報とを含んだプリント指定情報をジョブごとに生成して単一のプリント指定ファイルに記録するものとし、前記記録媒体に記録されている動画ファイル内の画像をプリント指定する場合に、前記記録媒体に記録されている動画ファイルを再生して表示装置に表示させる工程と、
前記動画ファイルの再生中にプリント対象とする所望のシーンを選択させる操作を受け付ける工程と、
前記操作に応じて、当該選択に係るプリント対象となる画像が含まれるファイルを特定するためのファイル特定情報と、前記プリント対象となる画像が含まれるファイルが動画ファイルであることを識別するためのファイル種識別情報と、当該動画ファイル内の前記選択に係るプリント対象シーンを特定するためのシーン特定情報と、を含むプリント指定情報を生成し、該プリント指定情報を当該記録媒体の前記プリント指定ファイルに他のジョブのプリント指定情報とともに記録する工程と、
を有することを特徴とするプリント指定方法。
【請求項２】
請求項１に記載のプリント指定方法において、前記ファイル特定情報は、ファイルの格納場所を示すパス及びファイル番号の少なくとも一方を含むことを特徴とするプリント指定方法。
【請求項３】
請求項１に記載のプリント指定方法において、前記ファイル種識別情報として、対象ファイルのフォーマットの種類を記述することを特徴とするプリント指定方法。
【請求項４】
請求項１に記載のプリント指定方法において、前記ファイル種識別情報として、対象ファイルが動画であるか静止画であるかを直接的に表す情報を記述することを特徴とするプリント指定方法。
【請求項５】
請求項１に記載のプリント指定方法において、前記ファイル種識別情報として、対象ファイルのファイル名の拡張子を記述することを特徴とするプリント指定方法。
【請求項６】
請求項１に記載のプリント指定方法において、前記ファイル種識別情報として、対象ファイルのファイル名のプレフィクスにファイル種を表す情報を格納することを特徴とするプリント指定方法。
【請求項７】
請求項１に記載のプリント指定方法において、前記シーン特定情報として、動画ファイル中における対象シーンの画像データが動画ファイルの何フレーム目の画像であるかを特定するフレーム番号を記述することを特徴とするプリント指定方法。
【請求項８】
請求項１に記載のプリント指定方法において、前記シーン特定情報として、動画ファイル中における対象シーンの画像データの開始位置情報を記述することを特徴とするプリント指定方法。
【請求項９】
請求項８に記載のプリント指定方法において、前記開始位置情報は動画ファイルの先頭若しくは動画ファイルのヘッダ部の最後からのオフセットアドレスであることを特徴とするプリント指定方法。
【請求項１０】
請求項８に記載のプリント指定方法において、前記開始位置情報に加えて、対象シーンの画像データの長さを示す情報を併記することを特徴とするプリント指定方法。
【請求項１１】
動画の画像ファイルと静止画の画像ファイルとが混在して記録されている記録媒体に記録されているプリント指定ファイルのプリント指定情報に基づいて、当該記録媒体内の画像データから指定に係る画像のプリントを行うプリント方法であって、
前記記録媒体には、動画ファイル及び静止画ファイルのいずれをプリント指定する場合においてもそのプリント対象となる画像が含まれるファイルを特定するためのファイル特定情報と、当該プリント対象となる画像が含まれる画像ファイルが動画ファイルであるか静止画ファイルであるかを識別するファイル種識別情報とを含んだジョブごとのプリント指定情報が単一のプリント指定ファイルに記録されており、
プリント対象となる画像が含まれるファイルが動画ファイルである場合のプリント指定情報は、前記ファイル特定情報と前記ファイル種識別情報の他に、該動画ファイル内のプリント対象シーンを特定するためのシーン特定情報を含んで記録されており、
前記記録媒体から前記プリント指定ファイルの内容を読み取る工程と、
前記読み取ったプリント指定ファイルに記載の前記ファイル特定情報に基づいて、プリント対象のファイルを前記記録媒体から読み取る処理を行うとともに、当該プリント指定ファイルに記載の前記ファイル種識別情報に基づいてプリント対象のファイルが静止画ファイルであるか動画ファイルであるかを判別する処理を行う工程と、
前記判別の結果、プリント対象ファイルが静止画ファイルである場合には、前記記録媒体から読み出したプリント対象の静止画ファイル内の画像データをプリントする処理を実行する一方、前記判別の結果、プリント対象ファイルが動画ファイルである場合には、前記プリント指定ファイルに記載の前記シーン特定情報に基づいて当該動画ファイルから動画中の対象シーンの画像データを取り出す処理を行い、当該取り出した対象シーンの画像データをプリントする処理を実行する工程と、
を有することを特徴とするプリント方法。
【請求項１２】
動画の画像ファイルと静止画の画像ファイルとが混在して記録されている記録媒体に対して、当該記録媒体に記録されている画像をプリントするためのプリント指定情報を記録するプリント指定装置において、該装置は、
動画ファイル及び静止画ファイルのいずれをプリント指定する場合においてもそのプリント対象となる画像が含まれるファイルを特定するためのファイル特定情報と、当該プリント対象となる画像が含まれる画像ファイルが動画ファイルであるか静止画ファイルであるかを識別するファイル種識別情報とを含んだプリント指定情報をジョブごとに生成して単一のプリント指定ファイルに記録するプリント指定ファイル作成手段と、
前記記録媒体に記録されている動画ファイルを再生して表示装置に表示させる手段と、
前記動画ファイルの再生中にユーザがプリント対象とする所望のシーンを選択する操作を行うための手段と、を備え、
プリント指定ファイル作成手段は、前記操作に応じて、当該選択に係るプリント対象となる画像が含まれるファイルを特定するためのファイル特定情報と、前記プリント対象となる画像が含まれるファイルが動画ファイルであることを識別するためのファイル種識別情報と、当該動画ファイル内の前記選択に係るプリント対象シーンを特定するためのシーン特定情報と、を含むプリント指定情報を生成し、該プリント指定情報を当該記録媒体のプリント指定ファイルに他のジョブのプリント指定情報とともに記録することを特徴とするプリント指定装置。
【請求項１３】
請求項１２に記載のプリント指定装置は、撮像素子と、該撮像素子で得た画像データを符号化して記録媒体に記録する記録手段と、を備えた電子カメラであり、該電子カメラによって、前記画像データを含むファイルと、前記プリント指定ファイルとが前記記録媒体に記録されることを特徴とするプリント指定装置。
【請求項１４】
動画の画像ファイルと静止画の画像ファイルとが混在して記録されている記録媒体に記録されているプリント指定ファイルのプリント指定情報に基づいて、当該記録媒体内の画像データから指定に係る画像のプリントを行うプリント装置において、
前記記録媒体には、動画ファイル及び静止画ファイルのいずれをプリント指定する場合においてもそのプリント対象となる画像が含まれるファイルを特定するためのファイル特定情報と、当該プリント対象となる画像が含まれる画像ファイルが動画ファイルであるか静止画ファイルであるかを識別するファイル種識別情報とを含んだジョブごとのプリント指定情報が単一のプリント指定ファイルに記録されており、
プリント対象となる画像が含まれるファイルが動画ファイルである場合のプリント指定情報は、前記ファイル特定情報と前記ファイル種識別情報の他に、該動画ファイル内のプリント対象シーンを特定するためのシーン特定情報を含んで記録されており、
前記プリント装置は、
前記記録媒体中の前記プリント指定ファイルの内容を読み取るプリント指定ファイル読取手段と、
前記プリント指定ファイルに記載の前記ファイル特定情報に基づいてプリント対象のファイルを前記記録媒体から読み取る対象ファイル読取手段と、
前記プリント指定ファイルに記載の前記ファイル種識別情報に基づいてプリント対象のファイルが静止画ファイルであるか動画ファイルであるかを判別するファイル種識別手段と、
前記ファイル種識別手段による識別の結果、プリント対象ファイルが静止画ファイルである場合には、前記記録媒体から読み出したプリント対象の静止画ファイル内の画像データをプリントする処理を実行する一方、前記判別の結果、プリント対象ファイルが動画ファイルである場合には、前記プリント指定ファイルに記載の前記シーン特定情報に基づいて前記記録媒体内の当該動画ファイルから動画中の対象シーンの画像データを取り出す処理を行い、当該取り出した対象シーンの画像データをプリントする処理を実行するプリント制御手段と、
を備えたことを特徴とするプリント装置。
【発明の詳細な説明】
【０００１】
【発明の属する技術分野】
本発明はデジタルカメラやプリンタ等に適用されるプリント指定方法及び装置、並びにプリント方法及び装置に係り、特に撮像素子を用いて動画を電子的に撮影・記録可能なカメラにおいて動画中の特定のシーンをプリント指定するのに好適な方法と、指定に係る画像をプリントする方法及びこれら方法を実現する装置に関する。
【０００２】
【従来の技術】
デジタルカメラ等で撮影された画像は、電子画像データとしてカメラ内部のメモリや着脱可能なメモリカード等の記録媒体に記録される。こうして記録された画像は、液晶モニタ等の表示装置に表示させることができるとともに、家庭用のパーソナルプリンタ等で印刷して鑑賞することができる。また、最近では、デジタルスチルカメラの普及に伴い、画像データを記録した記録媒体を顧客より受け付け、これに記録されている画像（静止画）をプリント出力して顧客に提供するというデジタル写真プリントサービス（以下、ラボプリントサービスという）が開始されている。本件出願人は、既に特願平１０−２９４０５９号において、記録メディア中の静止画像をラボプリントサービスやパーソナルプリンタでプリント実行するためのプリント指定方法を提案している。
【０００３】
一方、特開平６−３１５１０７号公報には、一台のカメラで動画記録モードと静止画記録モードと併有し、記録モードを切り替えて動画又は静止画を記録メディアに記録することが可能なカメラが開示されている。また、特開平７−９９６２８号公報には、動画及び記録した動画中から一つ以上の特定のフレームを切り出し、動画とは独立した静止画データを作成して、静止画をも記録可能なカメラが開示されている。
【０００４】
【発明が解決しようとする課題】
通常、ユーザはラボプリントサービスやパーソナルプリンタによる静止画のプリントを希望する場合には、電子スチルカメラを用いて静止画を撮影するのが一般的であると想定される。しかし、当初はプリントすることを意図せずに撮影した動画中の特定シーンについて静止画としてプリントを行いたいという要求がある。また、絶えず変動するシーンの場合には、静止画撮影ではユーザが期待する撮影を行うことは困難である。従って、撮影時には動画として撮影記録しておき、後から最もよく写っている瞬間（シーン）を選択してプリントするというニーズもある。
【０００５】
このような状況において、上記特開平６−３１５１０７号公報に開示のカメラに特願平１０−２９４０５９号の技術を適用しようとした場合、記録された静止画に対してはプリント指定が可能であるが、動画の特定シーンをプリント指定できないという問題が生じる。なお、特開平６−８５３７号公報には、ラボプリントサービス等に利用されるプリント指定方法に対応するプリンタが開示されているが、このプリンタを用いても、予め指定された動画の特定シーンを印画することはできない。
【０００６】
一方、特開平７−９９６２８号公報に開示のカメラに特願平１０−２９４０５９号の技術を適用しようとした場合、特定シーンが静止画として切り出されるので、プリントの指定は可能であるが、切り出された静止画のデータを動画のデータと別に保持することになり、切り出された静止画のデータ容量が情報的には冗長であり、記録媒体の容量を圧迫する。
【０００７】
本発明はこのような事情に鑑みてなされたもので、記録媒体の不必要な容量を使用することなく、動画中の特定シーンのプリント指定を可能とするプリント指定方法と、その指定方法で指定された画像をプリントするプリント方法を提供することを目的とし、併せて、その方法を実施するための装置、並びにプリント装置を提供することを目的とする。
【０００８】
【課題を解決するための手段】
前記目的を達成するために、請求項１に係る発明は、動画の画像ファイルと静止画の画像ファイルとが混在して記録されている記録媒体に対して、当該記録媒体に記録されている画像をプリントするためのプリント指定情報を記録するプリント指定方法であって、動画ファイル及び静止画ファイルのいずれをプリント指定する場合においてもそのプリント対象となる画像が含まれるファイルを特定するためのファイル特定情報と、当該プリント対象となる画像が含まれる画像ファイルが動画ファイルであるか静止画ファイルであるかを識別するファイル種識別情報とを含んだプリント指定情報をジョブごとに生成して単一のプリント指定ファイルに記録するものとし、前記記録媒体に記録されている動画ファイル内の画像をプリント指定する場合に、前記記録媒体に記録されている動画ファイルを再生して表示装置に表示させる工程と、前記動画ファイルの再生中にプリント対象とする所望のシーンを選択させる操作を受け付ける工程と、前記操作に応じて、当該選択に係るプリント対象となる画像が含まれるファイルを特定するためのファイル特定情報と、前記プリント対象となる画像が含まれるファイルが動画ファイルであることを識別するためのファイル種識別情報と、当該動画ファイル内の前記選択に係るプリント対象シーンを特定するためのシーン特定情報と、を含むプリント指定情報を生成し、該プリント指定情報を当該記録媒体の前記プリント指定ファイルに他のジョブのプリント指定情報とともに記録する工程と、を有することを特徴としている。
【０００９】
本発明によれば、動画ファイル内のプリント対象シーンを特定し、動画ファイル中から特定のシーンのデータを抽出するようにしたので、かかるシーンの静止画データを別途作成する必要が無い。従って、記録媒体の不必要な容量を使用することなく、静止画像のプリント指定と、動画中の特定シーンの静止画プリント指定とを単一のプリント指定ファイルによって実現することができる。
【００１０】
請求項１１に係る発明は、前記プリント指定方法の発明にしたがって指定されたプリント指定情報に基づいてプリントを実行する方法を提供するものであり、この発明は、動画の画像ファイルと静止画の画像ファイルとが混在して記録されている記録媒体に記録されているプリント指定ファイルのプリント指定情報に基づいて、当該記録媒体内の画像データから指定に係る画像のプリントを行うプリント方法であって、前記記録媒体には、動画ファイル及び静止画ファイルのいずれをプリント指定する場合においてもそのプリント対象となる画像が含まれるファイルを特定するためのファイル特定情報と、当該プリント対象となる画像が含まれる画像ファイルが動画ファイルであるか静止画ファイルであるかを識別するファイル種識別情報とを含んだジョブごとのプリント指定情報が単一のプリント指定ファイルに記録されており、プリント対象となる画像が含まれるファイルが動画ファイルである場合のプリント指定情報は、前記ファイル特定情報と前記ファイル種識別情報の他に、該動画ファイル内のプリント対象シーンを特定するためのシーン特定情報を含んで記録されており、前記記録媒体から前記プリント指定ファイルの内容を読み取る工程と、前記読み取ったプリント指定ファイルに記載の前記ファイル特定情報に基づいて、プリント対象のファイルを前記記録媒体から読み取る処理を行うとともに、当該プリント指定ファイルに記載の前記ファイル種識別情報に基づいてプリント対象のファイルが静止画ファイルであるか動画ファイルであるかを判別する処理を行う工程と、前記判別の結果、プリント対象ファイルが静止画ファイルである場合には、前記記録媒体から読み出したプリント対象の静止画ファイル内の画像データをプリントする処理を実行する一方、前記判別の結果、プリント対象ファイルが動画ファイルである場合には、前記プリント指定ファイルに記載の前記シーン特定情報に基づいて当該動画ファイルから動画中の対象シーンの画像データを取り出す処理を行い、当該取り出した対象シーンの画像データをプリントする処理を実行する工程と、を有することを特徴としている。
【００１１】
請求項１２に係る発明は、動画の画像ファイルと静止画の画像ファイルとが混在して記録されている記録媒体に対して、当該記録媒体に記録されている画像をプリントするためのプリント指定情報を記録するプリント指定装置において、該装置は、動画ファイル及び静止画ファイルのいずれをプリント指定する場合においてもそのプリント対象となる画像が含まれるファイルを特定するためのファイル特定情報と、当該プリント対象となる画像が含まれる画像ファイルが動画ファイルであるか静止画ファイルであるかを識別するファイル種識別情報とを含んだプリント指定情報をジョブごとに生成して単一のプリント指定ファイルに記録するプリント指定ファイル作成手段と、前記記録媒体に記録されている動画ファイルを再生して表示装置に表示させる手段と、前記動画ファイルの再生中にユーザがプリント対象とする所望のシーンを選択する操作を行うための手段と、を備え、プリント指定ファイル作成手段は、前記操作に応じて、当該選択に係るプリント対象となる画像が含まれるファイルを特定するためのファイル特定情報と、前記プリント対象となる画像が含まれるファイルが動画ファイルであることを識別するためのファイル種識別情報と、当該動画ファイル内の前記選択に係るプリント対象シーンを特定するためのシーン特定情報と、を含むプリント指定情報を生成し、該プリント指定情報を当該記録媒体のプリント指定ファイルに他のジョブのプリント指定情報とともに記録することを特徴としている。
【００１２】
請求項１４に係る発明は、動画の画像ファイルと静止画の画像ファイルとが混在して記録されている記録媒体に記録されているプリント指定ファイルのプリント指定情報に基づいて、当該記録媒体内の画像データから指定に係る画像のプリントを行うプリント装置において、前記記録媒体には、動画ファイル及び静止画ファイルのいずれをプリント指定する場合においてもそのプリント対象となる画像が含まれるファイルを特定するためのファイル特定情報と、当該プリント対象となる画像が含まれる画像ファイルが動画ファイルであるか静止画ファイルであるかを識別するファイル種識別情報とを含んだジョブごとのプリント指定情報が単一のプリント指定ファイルに記録されており、プリント対象となる画像が含まれるファイルが動画ファイルである場合のプリント指定情報は、前記ファイル特定情報と前記ファイル種識別情報の他に、該動画ファイル内のプリント対象シーンを特定するためのシーン特定情報を含んで記録されており、前記プリント装置は、前記記録媒体中の前記プリント指定ファイルの内容を読み取るプリント指定ファイル読取手段と、前記プリント指定ファイルに記載の前記ファイル特定情報に基づいてプリント対象のファイルを前記記録媒体から読み取る対象ファイル読取手段と、前記プリント指定ファイルに記載の前記ファイル種識別情報に基づいてプリント対象のファイルが静止画ファイルであるか動画ファイルであるかを判別するファイル種識別手段と、前記ファイル種識別手段による識別の結果、プリント対象ファイルが静止画ファイルである場合には、前記記録媒体から読み出したプリント対象の静止画ファイル内の画像データをプリントする処理を実行する一方、前記判別の結果、プリント対象ファイルが動画ファイルである場合には、前記プリント指定ファイルに記載の前記シーン特定情報に基づいて前記記録媒体内の当該動画ファイルから動画中の対象シーンの画像データを取り出す処理を行い、当該取り出した対象シーンの画像データをプリントする処理を実行するプリント制御手段と、を備えたことを特徴としている。
【００１３】
【発明の実施の形態】
以下添付図面に従って本発明に係るプリント指定方法及び装置、並びにプリント方法及び装置の好ましい実施の形態について詳説する。
図１は本発明が適用されたデジタルカメラの一例を示すブロック図である。このデジタルカメラ１０は、撮影レンズ１２、絞り兼用メカシャッタ１４、ＣＣＤ固体撮像素子（以下、ＣＣＤという。）１６、アナログ信号処理部１８、Ａ／Ｄ変換器２０、フレームメモリコントローラ２２、フレームメモリ２４、デジタル信号処理部２６、ＪＰＥＧ（Joint Photographic Experts Group）圧縮伸張回路２８、カードインターフェース３０、メモリカード３２、画像データバス３４、ホストバス３６、中央演算処理装置（ＣＰＵ）３８、ＣＰＵ周辺回路４０、タイミングジェネレータ４２、ＶＲＡＭ（Video RAM ）４４、エンコーダ４６、Ｄ／Ａ変換器４８、フレーム番号カウンタ４９等から構成される。
【００１４】
ＣＣＤ１６は、受光部に平面的に配列されている感光画素から信号電荷を読み出す際に垂直方向に間引きして読み出す機能を有している。そして、動画撮影時は垂直方向に間引いて読み出し、静止画撮影時は間引かずに全画素のデータを読み出す。ＣＣＤ１６から読み出された信号は、アナログ信号処理部１８においてゲイン調整、色分離その他の所定のアナログ信号処理が施された後、Ａ／Ｄ変換器２０によりデジタル信号に変換される。デジタル信号化された画像データは、デジタル信号処理部２６において輝度信号（Ｙ信号）及び色差信号（Ｃr,Ｃb ）に変換され、一旦フレームメモリ２４に格納される。
【００１５】
フレームメモリ２４に格納された画像データは動画記録／静止画記録の両方で共通に使用されるＪＰＥＧ圧縮伸張回路２８で圧縮され、カードインターフェース３０を介してメモリカード３２に圧縮データとして記録される。なお、圧縮処理とメモリカード３２への書き込み（記録）処理は同時に並行して行われる。メモリカード３２は、例えば、スマートメディアと呼ばれるカード型ＩＣメモリであるＳＳＦＤＣ（Solid-State Floppy Disk Card）が用いられる。記録媒体はメモリカード３２に限らず、ＰＣカード、磁気ディスク、光磁気ディスク、メモリスティックなど種々の形態が可能である。
【００１６】
ＪＰＥＧ圧縮伸張回路２８は、静止画記録及び動画記録の両方で使用される。静止画はＪＰＥＧファイル、動画はモーションＪＰＥＧファイルとして記録される。
動画を記録する時は、フレームメモリコントローラ２２より、フレームメモリ２４の画像を水平方向に（或いは水平及び垂直方向に）間引きしながら画像を読み出して前記ＪＰＥＧ圧縮伸張回路２８に渡すことになる。
【００１７】
前記デジタル信号処理部２６で得られた輝度・色差信号（ＹＣ信号）はＶＲＡＭ４４に供給され、このＶＲＡＭ４４に格納されたデータはエンコーダ４６及びＤ／Ａ変換器４８を介してビデオ出力端子より外部出力され、テレビモニタ等の表示装置５０に供給される。これにより、ＣＣＤ１６で撮像された画像が表示装置５０に表示される。なお、表示装置５０として液晶ディスプレイ等を用い、これをデジタルカメラ１０本体に内蔵することも可能である。
【００１８】
再生モード時にはメモリカード３２に記録されている画像が読み出されて前記ＪＰＥＧ圧縮伸張回路２８によって伸張処理された後、ＶＲＡＭ４４に供給される。そして、ＶＲＡＭ４４に格納されたデータはエンコーダ４６及びＤ／Ａ変換器４８を介してビデオ出力端子より外部出力され、前記表示装置５０等に供給される。これにより、メモリカード３２に格納されている画像の内容を表示装置５０の画面上で確認することができる。
【００１９】
ユーザは、図示せぬモード選択スイッチによって、カメラの動作モードをプリント用静止画確定モードに設定して、動画ファイルを再生中（又はスロー再生中）に所望のシーンで一時停止させ、プリント選択ボタンの押圧操作などの所定の操作によってプリント対象とする静止画を特定することができるようになっている。かかる所定の操作によってプリント対象画像を特定するための情報が自動的に取得され、後述するプリント指定ファイルにシーン特定情報として記載される。
【００２０】
ＣＰＵ３８は本システムの制御を司る制御装置に相当し、ＣＰＵ周辺回路４０を介して受入する各種操作スイッチからの信号入力に基づいて各回路を統括制御するとともに、所定の制御プログラムに従ってカメラを動作させる。操作スイッチには、例えば、静止画記録指示スイッチ（レリーズスイッチという。）５２や動画記録指示スイッチ（録画スイッチという。）５４が含まれる。また、ＣＰＵ３８はタイミングジェネレータ４２を制御しており、該タイミングジェネレータ４２から各ブロックに供給される同期信号によって各回路の同期が取られている。ＣＰＵ周辺回路４０には、タイマ、ダイレクトメモリアクセス（ＤＭＡ）回路、割り込み制御回路、パラレル入／出力ポートなどが含まれる。
【００２１】
フレーム番号カウンタ４９は、動画ファイルから１フレーム伸張処理される毎にカウンタを＋１ずつカウントアップする。
図２は本例のデジタルカメラ１０におけるメモリカードのファイル構造が示されている。同図に示すように、ルートディレクトリ（Root）１００の下に分類用のディレクトリ（１１１、１１２）が作成され、これらディレクトリ（１１１、１１２）下に、静止画ファイル（１２１、１２２…）、及び動画ファイル（１４１、１４２…）が並列に格納される。ディレクトリ名及びファイル名にはそれぞれディレクトリ番号（ディレクトリ名の先頭二文字の数字）、及びファイル番号（ファイル名の末尾四文字の数字）が付与され、ディレクトリ番号とファイル番号を組み合わせたコマ番号により、メモリカード３２中において任意の静止画ファイル若しくは動画ファイルを特定できるようになっている。例えば、符号１４１で示した動画ファイル「MOVE0003.AVI」は、ディレクトリ番号01、ファイル番号0003からなるコマ番号「01−0003」によって特定される。
【００２２】
図２中点線で示したようにコマ番号「02−0002」の静止画ファイルが削除された場合にはファイル番号は欠番となり、ユーザがコマ番号の修正操作を行わない限り、一度付与されたコマ番号は変動しないようになっている。
図２では、ルートの下に「01Vacation」と命名されたディレクトリ１１１と、「02Birthday」と命名されたディレクトリ１１２が設けられ、前者のディレクトリ１１１にはバケーションに関連する画像ファイルが格納され、後者のディレクトリ１１２にはバースデイに関連する画像ファイルが格納されている。静止画のファイル名は「STIL」の四文字、動画のファイル名は「MOVE」の四文字で始まるように命名してあり、ファイル名から特定のコマ番号の画像ファイルが静止画ファイルであるか動画ファイルであるかを区別することが可能である。なお、このようなファイル種類の区別は、ファイルの拡張子の「JPG 」と「AVI 」を区別することによっても可能である。
【００２３】
プリント指定ファイル（「PRT ＿INFO.TXT」）１６０は、メモリカード３２のルートディレクトリ１００下に直接格納される。なお、以下の説明では、プリント指定されている動画として符号１４１で示したファイル（\01Vacation\MOVE0003.AVI（コマ番号  01−0003））を取り上げることにする。
図３及び図４はプリント指定ファイル１６０の例が示されている。プリント指定ファイル１６０は、プリントJOB 毎に、必要な情報をまとめて完結する記述としたTextファイルである。各プリントJOB には、ジョブＩＤ（JOB ＿ID）が付与されていて、プリント指定ファイル１６０の先頭のジョブを 1番「01」として、以後02、03…と連番によりジョブＩＤ（JOB ＿ID) が付与される。
【００２４】
各ジョブでは、プリント種別（PRINT ＿TYPE) 、プリント枚数（QUANTITY) 、プリント対象の画像データ（FILE＿ID) 、ファイルの動画／静止画の区別（FILE＿TYPE) 、及び動画の場合にはプリント対象シーンの画像データのフレーム番号（FLAME ＿NUM ）が指定されている。これら各ジョブの指定は、それぞれかっこ”｛  ｝”内に記述されている。
【００２５】
図３においてJOB ＿ID＝03のジョブが、\01Vacation\MOVE0003.AVIの動画ファイル（１４１）をプリント指定するジョブである。プリント種別は、インデックス、標準（STANDARD）、シールの三種の中から何れかが指定される。JOB ＿ID＝03では「STANDARD」に設定されている。
プリント指定される画像ファイルは、FILE＿IDにおいてコマ番号（01−0003）によって特定される。プリント対象のファイルの特定方法は、かかるコマ番号の記載に代えて、図４に示すように、ファイルの格納場所を表すパス（絶対パス、若しくは相対パス）を記載してもよい。
【００２６】
プリント指定される画像ファイルが動画ファイルであるか静止画ファイルであるかは、ファイル種識別情報に相当するファイルタイプ「FILE＿TYPE」の識別を判読することにより可能である。図３の場合、「FILE＿TYPE」において、静止画ファイルの場合には「STILL 」、動画ファイルの場合には「MOTION」という具合に、静止画/ 動画の区別を直接的に示す記述が行われる。
【００２７】
ファイルタイプの記述は図４に示すように、画像ファイルのフォーマット名（JPEG,TIFF,Bitmap等のフォーマット名は静止画を示し、AVI,MPEGなどは動画を示す。) を記述してもよいし、また、これらの記載がなくとも、画像ファイルの拡張子(JPG,TIF,BMP,AVI,MPGなど) や、ファイル名のプレフィクス(Prefix)に相当する先頭文字列（”STIL" か"MOVE"か) によっても判別することが可能である。
【００２８】
プリント対象のファイルが動画ファイルである場合、当該動画ファイル中のどのシーンの画像データをプリントするかというシーン特定については、本実施の形態では、フレーム番号(FLAME＿NUM)を記載することにより実現している。動画ファイルの実データは、後述の図５に示すように、音声データのチャンク（Chunk)と画像データのChunk から構成されるので、実データから音声データのChunk を除いた番号をフレーム番号として記載するようにしている。
【００２９】
また、プリント対象フレームの特定は、前記フレーム番号に限らず、図４に示すように、プリント対象画像データのChunk の開始位置（オフセット:OFFSET ）を記載してもよい。この場合は、さらに前記オフセットと一緒に当該画像データのChunk の長さ（LENGTH) を併記してもよい。またオフセットは、図５に示すようにヘッダ情報の最後からのオフセットでもよいし、動画ファイルの先頭アドレスからのオフセットでもかまわない。
【００３０】
なお、一般的なＡＶＩファイルフォーマットではLENGTHには各Chunk 内のヘッダの長さは含まないが、本実施の形態では、各Chunk 内のヘッダが含まれる形式としてLENGTHを記載してある。
図５には動画ファイルの構造例が示されている。同図に示すように、ＡＶＩファイルフォーマットの場合、動画ファイルは先頭にヘッダ情報を有し、続いてChunk の集合である実データが格納され、最後にインデックス（Index ）情報が付加されている。
【００３１】
ヘッダ情報は、ＡＶＩファイル全体のヘッダ情報と、画像データのヘッダ情報と、音声データのヘッダ情報とから成る。実データのChunk には画像データのChunk と音声データのChunk の二種類があり、例えば、音声データのChunk は１６Chunk 毎に１つの割合で挿入されている。ここでは、フレーム番号は音声データのChunk を除いて画像データのChunk の順番で定義されている。なお、本例とは別に音声ファイルが独立して記録されていてもよい。音声データは図示せぬマイクロフォンからの信号をＡ／Ｄ変換することによって取得される。
【００３２】
動画ファイルの最後に付加されるインデッス情報には、当該動画ファイル中に格納されている全Chunk の種別（画像であるか音声であるかの区別）、位置（オフセット）、及び長さ（LENGTH）がリストされている。
例えば、プリント対象となるシーンであるフレーム番号３３の画像データのインデックス情報（Index#35) は、Chunk 種別＝画像、位置（OFFSET) ＝0x000AD73E、長さ(LENGTH)＝0x0000561C  となっている。
【００３３】
プリント装置（プリンタ）を使用して、図５の動画ファイルを図３のJOB ＿ID＝３のジョブに基づいてプリントする場合、プリント装置はヘッダを読みとばした後、先頭からChunk 数をカウントしながら読みとばしていき、プリント指定ファイル１６０に記載されたファイル番号の画像データに到達した時、プリント対象の画像データを取得する。若しくは、最初に動画ファイルの後部に記録されたインデックス情報から、プリント指定ファイルに記載されたフレーム番号のChunk の位置（及び長さ）を読み取り、実データの当該Chunk にアクセスして、プリント対象の画像データを取得する。
【００３４】
次に、上述したプリント指定ファイルの情報に基づいてプリントを行うプリント装置について説明する。
図５は本発明が適用されたプリント装置の構成を示すブロック図である。このプリント装置２１０は、ＴＡ（サーモオートクローム）方式と呼ばれる印画方式を採用したもので、このプリント装置２１０では、熱を加えると発色し、紫外線を照射すると定着するという特性を有するプリントペーパー（ＴＡペーパー）が使用されるようになっている。
【００３５】
本プリント装置２１０には、メモリカード３２を装填するカードスロット２１２が設けられており、前述したデジタルカメラ１０等によってメモリカード３２に記録した画像を直接、本プリント装置２１０に読み込んでプリントペーパーに印画することができるようになっている。
システムコントローラ２１４は、装置のシステム全体を統括的に制御する処理部であり、このシステムコントローラ２１４により、画像データの処理や後述する各制御ブロックに対する画像データの受け渡し、プリントの実行等の各種指示が与えられるようになっている。なお、システムコントローラ２１４への各種処理の指示は、ユーザの操作に基づいて操作部２１６から与えられ、また、システムコントローラ２１４の動作プログラムは、装置本体に内蔵された不揮発性メモリ（ＥＥＰＲＯＭ）２１８に記録されている。
【００３６】
メモリカード３２が装填されるカードスロット２１２は、メモリカード３２に記録された画像ファイルの画像データを読み出し、その画像データをシステムコントローラ２１４に入力するもので、その画像データの読み出しは前記システムコントローラ２１４の指示に従って行われる。メモリカード３２には、画像データが所定の形式で圧縮された状態で記録されており、システムコントローラ２１４は、カードスロット２１４に画像データの読み出しを指示してメモリカード３２から所要の画像データを取得すると、この画像データを伸張して元の画像データに復元し、更に、所要の画像処理を施してその画像データをメモリコントローラ２２０を介してメモリ２２２に記憶させる。
【００３７】
メモリコントローラ２２０は、メモリ２２２に対するデータの書き込みと読み出しを制御する処理部であり、このメモリコントローラ２２０の処理によって、前記メモリカード３２から読み出された画像データがメモリ２２２に記憶され、また、システムコントローラ２１４からの指示に従ってメモリ２２２内の画像データが液晶ディスプレイ（ＬＣＤ）制御部２２４やＤ／Ａコンバータ２２６、及びプリントコントローラ２２８等に出力される。
【００３８】
ＬＣＤ制御部２２４は、プリント装置２１０に装着されている液晶ディスプレイ（ＬＣＤ）２３０の表示に関する制御を行う処理部であり、システムコントローラ２１４から当該ＬＣＤ制御部２２４に対して画面表示が指示されると、メモリコントローラ２２０から表示すべき画像の画像データを取得して、その画像をＬＣＤ２３０に表示させる。ＬＣＤ２３０には、プリント画像を選択するプリント画像選択画面（インデックス画面）や、プリント中のプリント画像等が表示される。
【００３９】
また、前記メモリ２２２に記憶された画像データは、Ｄ／Ａコンバータ２２６を介してビデオ出力端子２３２から映像信号として外部出力される。これにより、ビデオ出力端子２３２に接続されている図示せぬモニタ装置にプリント対象画像等が表示される。
図６に示したプリントコントローラ２２８、ヘッド駆動回路２３４、ペーパー搬送制御部２３６、及び定着制御部２３８は、プリントを実行するための制御ブロックであり、これらの制御ブロックは、システムコントローラ２１４からのプリント実行の指示により互いに同期して各種制御を実行する。
【００４０】
プリント装置２１０で使用されるプリントペーパーは、支持体の表面にシアン（Ｃ）発色層、マゼンタ（Ｍ）発色層、イエロー（Ｙ）発色層の３層が順に重ねて形成されている。各発色層では、それぞれに対応した熱量が与えられると、その熱量に応じた濃度（階調）のＣ色、Ｍ色、Ｙ色が発色する。また、Ｃ発色層を除くＭ発色層及びＹ発色層の各発色層に、それぞれに対応した波長の紫外線（Ｍ発色層は約３６５ｎｍ、Ｙ発色層は約４２５ｎｍ程度の紫外線）を照射すると、発色の状態が定着されるようになっている。
【００４１】
プリントコントローラ２２８は、システムコントローラ２１４からプリント実行の指示が与えられると、メモリ２２２に記録されたプリント画像の画像データをメモリコントローラ２２０を介して取得し、そのプリント画像の画像データに基づいてプリント画像の各画素におけるＹ、Ｍ、Ｃ各色の階調（印画階調値）を例えば８ビットの分解能の範囲（０〜２５６）で設定する。そして、そのプリント画像の各画素におけるＹ、Ｍ、Ｃ各色の印画階調値のデータをプリントペーパーの走行と同期してその走行方向（副走査方向）と垂直な方向（主走査方向）へ１ラインずつヘッド駆動回路２３４に出力する。
【００４２】
ヘッド駆動回路２３４は、プリントコントローラ２２８からＹ、Ｍ、Ｃ各色の印画階調値のデータが与えられると、その印画階調値に基づいて主走査方向に配列されたサーマルヘッド２４０の各ドットの発熱素子に印加する電圧及びその通電時間（パルス幅）をプリントペーパーの走行に同期させて制御する。これにより、サーマルヘッド２４０の各ドットの発熱素子からプリントペーパーの各点に与えられる熱量がＹ、Ｍ、Ｃ各色の印画階調値に応じて制御され、プリントペーパーの各発色層に対してプリントコントローラ２２８から指示された印画階調値に対応する濃度の色が発色される。
【００４３】
ペーパー搬送制御部２３６は、システムコントローラ２１４からプリント実行の指示が与えられると、図示せぬペーパー収納部からプリントペーパーを印画処理部に給送する。ペーパー搬送制御部２３６は、プリントペーパーを印画処理部に給送すると、キャプスタンローラ２４２をモータにより駆動してプリントペーパーを発色、定着の印画処理に同期させて走行させる。このとき、システムコントローラ２１４は、ホームポジション（ＨＰ）センサ２４４を使用してプリントペーパーがホームポジションにあることを検出し、そのホームポジションを基準にしたプリントペーパーの往復走行をペーパー搬送制御部２３６に実行させる。
【００４４】
定着制御部２３８は、サーマルヘッド２４０によるプリントペーパーのＹ発色層とＭ発色層の発色の処理と同期させてＹ定着用蛍光ランプ２４６及びＭ定着用蛍光ランプ２４８の点灯・消灯を制御する。Ｙ定着用蛍光ランプ２４６は、４２５ｎｍ程度の波長を含む紫外線を出射するランプであり、このＹ定着用蛍光ランプ２４６が点灯してこのランプからプリントペーパーに紫外線が照射されると、プリントペーパーのＹ発色層が定着される。一方、Ｍ定着用蛍光ランプ２４８は、３６５ｎｍ程度の波長を含む紫外線を出射するランプであり、このＭ定着用蛍光ランプ２４８が点灯してこのランプからプリントペーパーに紫外線が照射されると、プリントペーパーのＭ発色層が定着される。
【００４５】
上記の如く構成されたプリント装置における印画処理手順を図７及び図８のフローチャートを用いて説明する
プリント装置２１０による自動プリント処理がスタートすると（ステップＳ３００）、先ずメモリカード３２が装着されているか否かの判別を行う（ステップＳ３０２）。もし、カードスロット２１２にメモリカード３２が装着されていないときは、自動プリントの動作を終了する（ステップＳ３１０）。また、カードスロット２１２にメモリカード３２が装着されている場合は、ステップＳ３０２の判定でＹＥＳ判定となり、ステップＳ３０４に進む。
【００４６】
ステップＳ３０４では当該メモリカード３２にプリント指定ファイル１６０が含まれているか否かを判断する。もし、メモリカード３２にプリント指定ファイル１６０が存在しない場合には、自動プリントの動作を終了する（ステップＳ３１０）。その一方、メモリカード３２にプリント指定ファイル１６０があれば、ステップＳ３０６に進んで、カレントジョブの値を１（Current ＿JOB ＝1)に設定する。
【００４７】
次いで、ステップＳ３０８においてプリント指定ファイル１６０中にJOB ＿ID＝Current ＿JOB のジョブが存在するか否かを判定する。もし、プリント指定ファイル１６０中にJOB ＿ID＝Current ＿JOB のジョブが存在しなければ、自動プリントの動作を終了する（ステップＳ３１０）。また、プリント指定ファイル１６０中にJOB ＿ID＝Current ＿JOB のジョブが存在するときは、ステップＳ３１２に進み、ここでプリント指定ファイル１６０に記載されているJOB ＿ID＝Current ＿JOB のジョブから「QUANTITY」の情報を読み取るとともに、続くステップＳ３１４において「FILE＿ID」の情報を読み取る。
【００４８】
その後、ステップＳ３１６に進み、「FILE＿ID」が示すコマ番号の画像ファイルがメモリカード３２に格納されているか否かを判定する（ステップＳ３１６）。もし、該当する画像ファイルが存在しないときは、ステップＳ３１８に進み、ここでカレントジョブの値を＋１だけカウントアップしてから、ステップＳ３０８に戻る。
【００４９】
他方、ステップＳ３１６において、FILE＿IDが示すコマ番号の画像ファイルが存在する時は、ステップＳ３２０に進み、該当する画像ファイルの読み取りを行う。次いで、プリント指定ファイル１６０のJOB ＿ID＝Current ＿JOB のジョブからファイルタイプ「FILE＿TYPE」の情報を読み取る（ステップＳ３２２）。その後、図８に示すＳ３２４に進み、ここでFILE＿TYPEが動画であるか静止画であるかを判定する（ステップＳ３２４）。
【００５０】
もし、ファイルタイプが動画であればステップＳ３２６に進み、ファイルタイプが静止画ならばステップＳ３４０に分岐する。
ステップＳ３２６では動画ファイルのヘッダをスキップする処理を行う。その後、ステップＳ３２８に進み、カレントフレーム番号を０（Current ＿Frame ＝０）に設定する。そして、プリント指定ファイル１６０に記述されているJOB ＿ID＝Current ＿JOB のジョブからフレーム番号「FRAME ＿NUM 」の情報を読み取り（ステップＳ３３０）、続くステップＳ３３２において、カレントフレーム番号が「FRAME ＿NUM 」と一致しているか否かを判定する。
【００５１】
もし、Current ＿Frame ≠FRAME ＿NUM の時は、ステップＳ３３４に進み、ここでカレントフレーム番号を＋１カウントアップ（Current ＿Frame ＝Current ＿Frame ＋１）した後、次のフレーム先頭までスキップし（ステップＳ３３６）、前記ステップＳ３３２に戻る。
もし、ステップＳ３３２において、Current ＿Frame ＝FRAME ＿NUM の時は、ステップＳ３４２に進む。ステップＳ３４２では、現在のChunk をJPEGデータとして切り出す処理を行う。このように、図５で説明した動画ファイルを図３に示したJOB ＿ID＝3 のジョブに基づいてプリントを実行する場合、プリント装置２１０はヘッダを読みとばした後、先頭からフレームの数をカウントしながら読みとばしていき、プリント指定ファイル１６０に記載されているフレーム番号の画像データにたどり着いた時に、プリント対象の画像データを取得することができる。
【００５２】
もしくは、まず最初に、動画ファイルの後部に記録されているインデックス情報からプリント指定ファイルに記載されているフレーム番号のChunk の位置（または、位置及び長さ）を読み取り、実データの当該Chunk にアクセスしてプリント対象の画像データを取得することもできる。
図３に示したプリント指定ファイル１６０に代えて、図４に示したプリント指定ファイル１６０を使用して、同図中のJOB ＿ID＝3 のジョブに基づいてプリントする場合には、プリント装置２１０は、ヘッダを読みとばしたのち、当該プリント指定ファイル１６０に記載されている位置（又は位置及び長さ）からプント対象の画像データが格納されているChunk にアクセスすることが可能である。
【００５３】
ところで、図８のステップＳ３２４において静止画ファイルと判定されてステップＳ３４０に進んだ時は、画像ファイル全体をJPEGデータとして切り出す処理を行う（ステップＳ３４０）。そして、ステップＳ３４０又はステップＳ３４２の後はステップＳ３４４に進む。
ステップＳ３４４では、ステップＳ３４０又はステップＳ３４２で得られたJPEGデータを伸張（解凍) 処理し、そのデータをフレームメモリ（図６中符号２２２に相当）に格納する。
【００５４】
その後、カレントプリント番号を「０」（Current ＿Print ＝0 ）に設定する（ステップＳ３４６）。次いで、カレントプリント番号が指定プリント枚数（「QUANTITY」と一致しているか否かを判断する（ステップＳ３４８）。カレントプリント番号が指定プリント枚数に満たない場合は、ステップＳ３５０に進み、前記フレームメモリ（２２２）に格納したデータのプリントを実行する。そして、ステップＳ３５２においてカレントプリント番号を＋１カウントアップ（Current ＿Print ＝Current ＿Print ＋１）した後、上記ステップＳ３４８に戻る。
【００５５】
カレントプリント番号が指定プリント枚数に一致するまで、ステップＳ３４８〜ステップＳ３５２の処理が繰り返され、指定プリント枚数分のプリントが実施されると、ステップＳ３４８の判定において、Current ＿Print ＝QUANTITYであると判定（ＹＥＳ判定）され、図７に示したステップＳ３１８に戻る。
こうして、プリント指定ファイル１６０に記述されている各ジョブが実行され、全てのジョブを実行し終えると自動プリントが終了する（ステップＳ３１０）。
【００５６】
本発明の実施の形態によれば、静止画ファイルからのプリント指定と動画ファイルからのプリント指定を単一のプリント指定ファイルによって実現できる。また、動画ファイル内から所望の静止画シーンを取り出す際に、別途静止画データを作成する必要がないので、メモリカード３２の容量を有効に活用できる。
上記説明では、動画ファイルのうち音声データのChunk を除いて画像データ野Chunk のみについてフレーム番号を定義したが、これに代えて、音声データのChunk をも含めた全てのChunk についてChunk 番号を定義して、Chunk 番号によりプリント対象の画像データを特定してもよい。
【００５７】
上記実施の形態では、動画の記録形式として、各画面の画像を独立したＪＰＥＧ画像として羅列するモーションＪＰＥＧを例に説明したが、動画記録形式はこれに限定するものではなく、ＭＰＥＧ（Moving Pictures Experts Group ）その他のフォーマット形式でもよい。
ＭＰＥＧのアルゴリズムは、符号化された画像データは前後の画面データをもとにしてつくられており、何枚かの画面データを一まとまりにしたＧＯＰ（Group of Pictures)構造を有している。ＭＰＥＧでは双方向予測を実現するため、画像にＩピクチャ、Ｐピクチャ、Ｂピクチャという３つのタイプが規定されている。ＩピクチャとはIntra 符号化画像（フレーム内符号化画像）、ＰピクチャとはPredictive符号化画像（フレーム間順方向予測符号化画像）、ＢピクチャとはBidirectionally predictive符号化画像（双方向予測符号化画像）を意味する。
【００５８】
したがって、例えば、プリント指定ファイルにおいて、所望のＩピクチャをプリント対象フレームとして指定することによって、動画内から当該指定に係るＩピクチャを抽出してプリントすることが可能である。
上記実施の形態では、プリント指定を行う機器としてデジタルカメラ１０を例に述べたが、プリント装置やパーソナルコンピュータ等の機器によってプリント指定情報を入力し、メモリカード等の記録媒体にプリント指定ファイルを新規作成し、或いは、記録済みのプリント指定ファイルの記載内容を修正できるようにしてもよい。
【００５９】
上記実施の形態では、本発明をＴＡ方式のプリント装置に適用した例を述べたが、本発明は、熱転写（溶融型・昇華型）、レーザ露光熱現像転写（ピクトログラフィー）、インクジェット、感熱記録方式等、様々な記録方式のプリント装置に適用することができる。
また、本発明のプリント指定方法を応用することによって、動画ファイル内から所望の静止画データを取り出すことができるので、その指定に係る静止画データをプリントする目的以外にも、別の外部機器にデータ転送したり、ネットワーークサーバにアップロードすることができ、プリント以外の様々な外部出力手段への適用も可能である。
【００６０】
【発明の効果】
以上説明したように本発明によれば、動画ファイル内のプリント対象シーンを特定する情報をプリント指定ファイルに記載し、その情報に基づいて動画ファイルから指定に係るシーンの画像データを抽出するようにしたので、かかるシーンの静止画データを別途作成する必要が無い。従って、記録媒体の不必要な容量を使用することなく、静止画像のプリント指定と動画中の特定シーンの静止画プリント指定とを単一のプリント指定ファイルによって実現することができる。
【図面の簡単な説明】
【図１】本発明が適用されたデジタルカメラの構成を示すブロック図
【図２】メモリカードのファイル構造を示す概念図
【図３】プリント指定ファイルの一例を示す図
【図４】プリント指定ファイルの他の例を示す図
【図５】動画ファイルのデータ構造例を示す図
【図６】本発明が適用されたプリント装置の構成を示すブロック図
【図７】図６に示したプリント装置における自動プリント処理の手順を示すフローチャート
【図８】図６に示したプリント装置における自動プリント処理の手順を示すフローチャート
【符号の説明】
１０…デジタルカメラ（プリント指定装置、電子カメラ）、１６…ＣＣＤ（撮像素子）、３２…メモリカード（記録媒体）、３８…ＣＰＵ（プリント指定ファイル作成手段）、１６０…プリント指定ファイル、２１０…プリント装置、２１４…システムコントローラ（プリント指定ファイル読取手段、対象ファイル読取手段、ファイル種識別手段、プリント制御手段）、２２８…プリントコントローラ（プリント制御手段）
【図１】
0004244368.tif 000002
【図２】
0004244368.tif 000003
【図３】
0004244368.tif 000004
【図４】
0004244368.tif 000005
【図５】
0004244368.tif 000006
【図６】
0004244368.tif 000007
【図７】
0004244368.tif 000008
【図８】
0004244368.tif 000009